(57)【要約】      （修正有）【課題】磨き範囲を広くすることで、短時間で歯磨きを終えることを可能とし、さらに、従来の歯ブラシに比して、磨き効率の良い虫歯予防にも最適な歯ブラシを提供する。【解決手段】毛束を植設される植毛部１４を備えるヘッド部１２と、これに続く首部２０及び把持部２２とからなる歯ブラシ１０において、ヘッド部１２は、第１の基材１６及び第２の基材１８が、平面視左右に連なるよう双頭形状に一体成形されている。【選択図】図１
0003184459.tif 000002
【実用新案登録請求の範囲】
【請求項１】
毛束を植設される植毛部を備えるヘッド部と、これに続く首部及び把持部とからなる歯ブラシにおいて、
前記ヘッド部は、第１の基材及び第２の基材が、平面視左右に連なるよう一体成形されてなる双頭形状に構成されていることを特徴とする歯ブラシ。
【請求項２】
前記植毛部は、前記第１の基材及び第２の基材の表面にそれぞれ備えられていることを特徴とする請求項１記載の歯ブラシ。
【考案の詳細な説明】
【技術分野】
【０００１】
本考案は、歯ブラシに関するもので、特に、毛束を植毛する植毛部を備えるヘッド部が、平面視左右に一体的に連設されてなる基材から形成された双頭形状、即ち、Ｗヘッド型の歯ブラシに関するものである。
【背景技術】
【０００２】
従来から、歯ブラシについては、様々な開発が行われてきている。特に、ヘッド部分の技術の改良が行われてきており、例えば、特許文献１には、毛束を植設されたヘッド部と、これに続く首部および把持部とからなる歯ブラシが開示されていて、その特徴として、前記ヘッド部の全面またはその一部を、植毛面を覆う薄肉の硬質樹脂層と、該硬質樹脂層の背面側に位置する所定厚さの軟質樹脂層とからなる２層構造とし、該２層構造によってヘッド部表裏面方向に可撓性を与えたこととしている。
【０００３】
また、例えば、特許文献２には、ヘッド部とハンドル部とを備えた歯ブラシであって、前記ヘッド部の幅方向の外側に向かって膨らんだ平面視略Ｃ型形状を有する単一の毛束あるいは互いに隣接する毛束群からなるＣ型毛束が、前記ヘッド部に設けられていることを特徴とする歯ブラシが開示されている。
【先行技術文献】
【特許文献】
【０００４】
【特許文献１】特開２００２−１９９９３７号公報
【特許文献２】特開２００６−１８１１９０号公報
【考案の概要】
【考案が解決しようとする課題】
【０００５】
しかしながら、従来の歯ブラシは、ヘッド部や毛束の技術改良により、歯磨きの性能や、効率を改善してきてはいるが、歯磨きをする際に、そのヘッド部に植毛されている毛束部分での磨き範囲がどうしても狭いものであるため、歯磨きを終えるまで非常に時間がかかってしまい、忙しい日常生活を送る使用者には、使い勝手が悪いとされている。
【０００６】
本考案は、上述の課題を解決するためのもので、磨き範囲を広くすることで、短時間で歯磨きを終えることを可能とし、さらに、従来の歯ブラシに比して、磨き効率の良い虫歯予防にも最適な歯ブラシを提供することにある。
【課題を解決するための手段】
【０００７】
上記課題に対応するため、本考案は、以下の技術的手段を講じている。
即ち、請求項１記載の考案は、毛束を植設される植毛部を備えるヘッド部と、これに続く首部及び把持部とからなる歯ブラシにおいて、前記ヘッド部は、第１の基材及び第２の基材が、平面視左右に連なるよう一体成形されてなる双頭形状に構成されていることを特徴とする歯ブラシである。
【０００８】
また、請求項２記載の考案は、請求項１記載の歯ブラシであって、前記植毛部は、前記第１の基材及び第２の基材の表面にそれぞれ備えられていることを特徴ととしている。
【考案の効果】
【０００９】
本考案によれば、ヘッド部が、第１の基材及び第２の基材を平面視左右に連なるよう一体成形させた構成となっているため、磨き範囲が広くなり、歯磨きの際の時間を大幅に短くすることが可能となる。また、従来の歯ブラシによる歯磨きと同様の時間で歯磨きをした際には、従来よりも磨き効率が向上するため、虫歯予防にも最適なもとなる。
【図面の簡単な説明】
【００１０】
【図１】本考案に係る歯ブラシの実施形態を示すもので、（ａ）は平面図、（ｂ）は側面図、（ｃ）は背面図、（ｄ）はヘッド部のＡ−Ａ断面図、（ｅ）はヘッド部の拡大平面図である。
【考案を実施するための形態】
【００１１】
以下、本考案に係る歯ブラシの実施形態について、図面を参照して説明する。
図１は、本考案に係る歯ブラシの実施形態を示すもので、（ａ）は平面図、（ｂ）は側面図、（ｃ）は背面図、（ｄ）はヘッド部のＡ−Ａ断面図、（ｅ）はヘッド部の拡大平面図である。符号については、１０は歯ブラシ、１２はヘッド部、１４は植毛部、１５は植毛孔、１６は第１の基材、１８は第２の基材、２０は首部、２２は把持部、２４は膨出部、２６は後端部を示している。
【００１２】
まず、歯ブラシ１０には、図１（ａ）、（ｂ）、（ｃ）に示すように、毛束を植設される植毛部１４を備えるヘッド部１２と、これに続く首部２０及び把持部２２とからなり、ヘッド部１２は、図１（ａ）や（ｅ）に特に示すように、第１の基材１６及び第２の基材１８を平面視左右に連なるよう一体成形させてなる双頭形状に構成されている。
【００１３】
また、ヘッド部１２も含め、歯ブラシ１０は、樹脂の射出成形等で一体に形成されるものであり、図１（ｂ）中、中間部近傍に表裏に膨出する膨出部２４が形成され、歯ブラシ１０のグリップを安定させるようになっている。また、把持部２２は、後端部２６から膨出部２４との間（図中、範囲Ａ）にわたって形成され、首部２０は、膨出部２４の図１（ｂ）左側に所定の長さ（図中、範囲Ｂ）にわたって形成されている。
【００１４】
そして、把持部２２の一端の中点と他端の中点とを結ぶ中心線Ｃは、その延長線が首部２０およびヘッド部１２の厚さ内を通過する。すなわち、図１（ｂ）、つまり、側面視で、把持部２２の中心線Ｃは首部２０とヘッド部１２を長手方向全域にわたって通過する。なお、本実施形態において、把持部２２と首部２０との境界は、図に示すように、首部２０が把持部２２に比べて細く、薄くなっており、また、上述した膨出部２４で区画されているが、この形状は、本考案を限定するものではない。
【００１５】
続いて、歯ブラシ１０は、図１（ａ）及び（ｅ）に示すように、ヘッド部１２が、双頭形状（Ｗヘッド形状）となるよう幅広に構成されている。つまり、図１（ｄ）において、左側を第１の基材１６、右側を第２の基材１８とし、これら両基材が相互に連なるよう一体成形されていることで、双頭形状のヘッド部１２が形作られているわけである。
【００１６】
また、ヘッド部１２には、植毛部１４が備えられており、この植毛部１４に形成されている各植毛孔１５に刷毛が束ねられて作られる複数の毛束（図示せず）をそれぞれ植え付けることにより、歯ブラシ１０としての機能を果たすことになる。なお、本実施形態では、植毛部１４は、第１の基材１６及び第２の基材１８それぞれに分かれて備えられている。
【００１７】
このように、ヘッド部１２が双頭形状（Ｗヘッド形状）となっていることから、磨き範囲が広くなり、歯磨きの際の時間を大幅に短くすることが可能となり、また、従来の歯ブラシによる歯磨きと同様の時間で歯磨きをした際には、従来よりも磨き効率が向上するため、虫歯予防にも最適なもとなるわけである。
【符号の説明】
【００１８】
１０  歯ブラシ
１２  ヘッド部
１４  植毛部
１５  植毛孔
１６  第１の基材
１８  第２の基材
２０  首部
２２  把持部
２４  膨出部
２６  後端部
【図１】
0003184459.tif 000003